(57)【要約】【課題】この発明は、独立した２つ１組の発振器に異なる周波数の発振をさせ、前記１組の発振器の導子を平行に配置して干渉振動を発生させることを目的としたものである。【解決手段】この発明は、周波数の異なる２つ１組の低周波発振器の２組の導子を、所定間隔で平行に固定し、前記２組の導子からの発振によって所定深度、所定範囲に干渉波を生成させることを特徴とした治療用干渉低周波発生方法により目的を達成した。【選択図】　　　図１
2004049651.tif 000002
【特許請求の範囲】
【請求項１】
周波数の異なる２つ１組の低周波発振器の２組の導子を、所定間隔で平行に固定し、前記２組の導子からの発振によって所定深度、所定範囲に干渉波を生成させることを特徴とした治療用干渉低周波発生方法。
【請求項２】
振幅変調回路の出力と、可変発振器の出力とをバースト回路に接続し、バースト回路の出力と前記振幅変調回路の出力とを、アナログスイッチ回路に接続し、該アナログスイッチ回路の出力に、緩衝増幅器、出力調整器及び出力増幅器を介して導子に接続した低周波発振器の２つ１組により構成したことを特徴とする干渉低周波治療器。
【請求項３】
振幅変調回路は、正弦波発振器、振幅変調器及びクロック発振器を接続して構成したことを特徴とする請求項２記載の干渉低周波治療器。
【発明の詳細な説明】
【０００１】
【発明の属する技術分野】
この発明は、完全に独立した２つの同一回路よりなる１組の発振器により、中周波を搬送波として１〜２００Ｈｚの正弦波を振幅変調し、干渉波を生成し、これにより治療すべき身体の筋肉等に所定の深さに亘って振動を与え、電気的刺激を可及的に少なくして、所定の振動を付与し、確実に治療することを目的とした治療用干渉低周波発生方法及び治療器に関する。
【０００２】
【従来の技術】
従来、互いに周波数の異なる２つの電流を人体内で交差させ、この時生じるうねり（干渉波）による刺激によって治療を行う干渉低周波治療器が提案されている（特許第２８４２６１５号）。
【０００３】
また、制御部は、周波数設定機能を備え、２つの中周波電流の周波数の任意な変更により人体局部における干渉波発生位置の深さを変えることを特徴とする干渉低周波治療器の発明がある（特開平８−１１２３６２）。
【０００４】
【発明により解決しようとする課題】
前記公知の発明は、何れも交差により発生する干渉波を利用しており、前者は４０００〜４１００Ｈｚを使用する。また、後者は３９００〜４０００Ｈｚを使用する。前記公知例は、何れも中周波を干渉させて低周波を得ているが、このような方法によるときは、干渉領域が狭く、広範囲の筋肉の振動を目的とした治療の場合には不向きである。
【０００５】
また、前記公知例の発明は、完全に独立した発振器でないので、ランダムな揺らぎ効果を得ることができない。
【０００６】
【課題を解決するための手段】
この発明は、完全に独立した２つ１組の低周波発振器を利用し、夫々の導子を平行に配置して干渉波を発生させるので、マイルドな当りとなり、かつインターバル機能を付加し、ランダムな揺らぎ効果を得ることができるようにして、前記従来の問題点を解決したのである。
【０００７】
即ち、方法の発明は、周波数の異なる２つ１組の低周波発振器の２組の導子を、所定間隔で平行に固定し、前記２組の導子からの発振によって所定深度、所定範囲に干渉波を生成させることを特徴とした治療用干渉低周波発生方法である。
【０００８】
また、物の発明は、振幅変調回路の出力と、可変発振器の出力とをバースト回路に接続し、バースト回路の出力と前記振幅変調回路の出力とを、アナログスイッチ回路に接続し、該アナログスイッチ回路の出力に、緩衝増幅器、出力調整器及び出力増幅器を介して導子に接続した低周波発振器の２つ１組により構成したことを特徴とする干渉低周波治療器であり、振幅変調回路は、正弦波発振器、振幅変調器及びクロック発振器を接続して構成したものである。
【０００９】
前記発明において、バースト回路は、インターバルタイムが最小の位置で、正弦波発振器のゼロを検出し、連続出力要請信号ということでアナログスイッチを常時オン状態にする。
【００１０】
また、ゼロクロス信号を検出するバースト回路は、出力波形がいつもゼロから始まるので、刺激が少ない。前記発明におけるインターバルの時間には特別の制約はないが、例えば休止時間３００ｍｓ〜１ｓｅｃ、通電時間は１５０ｍｓ〜１ｓｅｃとする。
【００１１】
また、筋肉によって吸収しやすい周波数が決まっており、白筋２５〜５０Ｈｚ、混合筋６０〜８０Ｈｚ、赤筋７０〜１００Ｈｚであって、身体の治療部位としても、腹部５０〜９０Ｈｚ、大腿部３０〜５０Ｈｚである。
【００１２】
この発明による２つ１組（２チャンネル）により低周波での干渉を試みたところ、全体が筋肉質（背中）以外の、脂肪層があるところほど振動することが認められた。
【００１３】
人体の筋肉に振動を付与する場合に、中周波（１〜１０ＫＨｚ）は、低周波（１〜２００Ｈｚ）に比べて人体へのインピーダンスが低いために、深部まで届き易い。そこで中周波（例えば４ＫＨｚ使用）を搬送波として使用すれば、低周波でも比較的深部まで届かせることができる。
【００１４】
従来知られている低周波治療器は、腰痛や肩こりなどの痛みを和らげることを目的としており、低周波電流は知覚神経に流すけれども、運動神経にも流れる（但し、収縮作用が弱いために筋運動にはならない）。この発明の低周波電流は運動神経に流すので、運動神経に電流が作用して筋肉が動くことになる。また、この発明の場合にも、知覚神経にも電流が流れるが、出力波形の独自に設計された正弦波波形が刺激をより少なくしている。
【００１５】
この発明では、絶えず中周波成分を出力して、チューニングマッスル（ｔｕｎｉｎｇ　ｍｕｓｃｌｅ）機能は、各筋肉が吸収しやすい周波数を刺激波として使用している。人が運動をする時には、脳からインパルス信号が運動神経を通って筋肉に伝達され、骨格筋が働くが、脳からのインパルスの代わりに外部から信号を流すことにより運動神経を動かすことができるが、この場合には、電流はインパルスの変わりであって、流す電流により筋肉が収縮する訳ではない。
【００１６】
この発明では、筋肉の収縮をコントロールして、被治療者が強さを選択することができる。
【００１７】
前記のように、筋肉を収縮させたならば、休ませる必要があり、これが収縮と弛緩であって、この発明では、インターバル・タイマー機能により、適度の収縮と弛緩ができるようになっている。
【００１８】
【発明の実施の形態】
この発明は、１組の導子を５０Ｈｚ、他の１組の導子を５５Ｈｚに設定したとすれば、筋肉は、夫々５０Ｈｚ、５５Ｈｚで振動する。そこで平行に配置された導子の間の部分に５Ｈｚの干渉振動が発生するが、これは電気的刺激によらない副産物で、痛みを伴うことなく振動する。
【００１９】
またこの発明は、振幅変調回路の出力と、可変発振器の出力とを、バースト回路に接続し、バースト回路の出力と、前記振幅変調回路の出力とを、アナログスイッチ回路に接続し、該アナログスイッチ回路の出力に緩衝増幅器、出力調整器及び出力増幅器を介して導子に接続した低周波発振器２つ１組により構成したものである。
【００２０】
前記における発振は、筋肉を振動させるが、白筋２５〜３０Ｈｚ、混合筋６０〜８０Ｈｚ、赤筋７０〜１００Ｈｚが最も吸収され易いとされているので、治療すべき筋肉の性質が判っているときには、前記吸収し易い周波数付近を使用して振動させることにより、効率良好な治療ができる。
【００２１】
【実施例】
この発明の実施例を図１、２について説明する。この発明は、正弦波発振器１に振幅変調器２を接続し、該振幅変調器２に１〜１０ＫＨｚクロック発振器３を接続して、振幅変調回路４を構成する。前記正弦波発振器１にバースト回路５を接続すると共に、バースト回路５へ可変発振器６と検出回路７を接続し、前記振幅変調器２とバースト回路５とを、アナログスイッチ回路８に接続し、該アナログスイッチ回路８には、緩衝増幅器９、出力調整器１０、出力増幅器１１、トランス１２を順次介して導子１３、１３ａを接続して、この発明の１つの発振器１５を構成する。
【００２２】
この発明は、前記発振器１５を２つ１組として使用するようにしたものである（図１（ａ）（ｂ））。
【００２３】
前記実施例の発振器１５を使用するには、例えば腹直筋の振動には、人体１４の腹部１４ａの中央左右へ導子１３、１３ａを上下夫々平行に貼着した後、ＣＨ．１を５０Ｈｚとし、ＣＨ．２を５５Ｈｚとして発振させると、前記導子１３、１３ａの中央部へ、５Ｈｚの波が発生する（図２）。そこでＣＨ．１及びＣＨ．２の周波数で振動する筋運動と、ＣＨ．１とＣＨ．２の周波数の筋運動の差による干渉周波数とにより、痛みが極小で強力な筋運動と、脂肪層の振動が生じる。
【００２４】
また、内腹斜筋を振動させるには、人体１４の腹部１４ａの左側部へ、導子１３、１３ａを右下り斜（約４５度位）に貼着し、前記と同様に異なる周波数で振動させる。
【００２５】
次に、外腹斜筋を振動させるには、人体１４の腹部１４ａの右側部へ、導子１３、１３ａを右下り斜（約１３５度位）に貼着し、前記と同様に異なる周波数で振動させる。
【００２６】
前記実施例において、ＣＨ．１とＣＨ．２との周波数が同一の場合には、導子間に発生する第３の振動は、単なる増幅波形となるが、両者の周波数に差（例えば５Ｈｚ）がある場合には、図４（ｂ）の第３の振動ように干渉波を生じる。
【００２７】
図５は揺らぎの発生メカニズムを示すもので、（ａ）はＣＨ．１でインターバルをとった発振を続け、ＣＨ．２でズレを生じて、かつインターバルをとった発振をすると、ＣＨ．１とＣＨ．２が一致した時に、第３の振動が生じるが、この第３の振動は、ＣＨ．１とＣＨ．２のインターバルのズレにより通電時間にランダム性を与える。
【００２８】
前記におけるＣＨ．１の波形は、図５（ｂ）の（１）であり、ＣＨ．２の波形は、図５（ｂ）の２であり、第３の波形は、図５（ｂ）の（３）である。
【００２９】
前記において、例えばＣＨ．１の周波数は変化せずに、ＣＨ．２の位相が９０°変化したときに、第３の振動の振動変化は前記図５（ｂ）（３）の通りである。
【００３０】
原理的には、このような位相の変化が揺らぎ効果を与える。例えば５０Ｈｚ、５５Ｈｚの設定で５Ｈｚの第３の振動を得ているが、その中でもまた非同期ゆえの揺らぎも発生する。
【００３１】
例えば、チューニングマッスル（ｔｕｎｉｎｇ　ｍｕｓｃｌｅ）を５０Ｈｚ（２０ｍｓ）に、レングス（ｌｅｎｇｔｈ）を５００ｍｓに設定すると、レングス（ｌｅｎｇｔｈ）時間中に２５回の刺激が与えられる。また、チューニングマッスル（ｔｕｎｉｎｇ　ｍｕｓｃｌｅ）を１００Ｈｚ（１０ｍｓ）に、レングス（ｌｅｎｇｔｈ）を同じく５００ｍｓに設定すると、レングス（ｌｅｎｇｔｈ）期間中に５０回の刺激が与えられる。
【００３２】
【発明の効果】
この発明によれば、１組の発振回路の夫々の導子を人体の治療すべき部位に固定することによって、当該部の筋肉を振動し得ると共に、前記１組の発振回路へ異なる周波数を与えることによって第３の振動が発生し、時間と共に位相がずれるため、揺らぎ振動をすることができる効果がある。また、発振器は２つ１組であるから、夫々にタイムインターバルをおいて異なる周波数を与えた場合には、所定時間毎の干渉波を生じ、ランダム効果を生じる。
【００３３】
従って、効率よく筋肉を振動させ、痛みの少ない刺激の付与により効果の大きい筋肉振動を付与するが、揺らぎ効果とランダム効果は、電気刺激による筋肉の慣れを防ぐことができる効果がある。
【図面の簡単な説明】
【図１】（ａ）、（ｂ）　この発明の１組の発振回路図。
【図２】同じく使用状態を示す図。
【図３】（ａ）、（ｂ）　他の使用状態を示す図。
【図４】（ａ）　同じく同一周波数の合成波形を示す図。
（ｂ）　同じく異なる周波数の干渉波形を示す図。
【図５】（ａ）　同じく揺らぎ発生メカニズムにおいて、第３の振動が発生する時間を示す図。
（ｂ）　同じく第３の振動の波形を示す図。
【符号の説明】
１　正弦波発振器
２　振幅変調器
３　クロック発振器
４　振幅変調回路
５　バースト回路
６　可変発振器
７　検出回路
８　アナログスイッチ回路
９　緩衝増幅器
１０　出力調整器
１１　出力増幅器
１２　トランス
１３、１３ａ　導子
１５　発振器
【図１】
2004049651.tif 000003
【図２】
2004049651.tif 000004
【図３】
2004049651.tif 000005
【図４】
2004049651.tif 000006
【図５】
2004049651.tif 000007